(57)【要約】【課題】動画と静止画とを一画面上に別々に表示可能で、低消費電力型のな情報表示用パネルを提供する。【解決手段】静止画表示部分１と動画表示部分２とから構成される情報表示用パネル３において、静止画表示部分をパッシブ駆動方式で構成するとともに、動画表示部分をアクティブ駆動方式で構成する。そして、好ましい態様として、少なくとも静止画表示部分１を、少なくとも一方が透明な２枚のフレキシブルな基板間に表示メモリー性がある（bistableな）表示媒体を封入し、表示媒体を電気的に駆動させて画像等を表示するパネルから構成する。【選択図】図１
2009128436.tif 000002
【特許請求の範囲】
【請求項１】
静止画表示部分と動画表示部分とから構成される情報表示用パネルにおいて、静止画表示部分をパッシブ駆動方式で構成するとともに、動画表示部分をアクティブ駆動方式で構成したことを特徴とする情報表示用パネル。
【請求項２】
静止画表示部分と動画表示部分とを一体のパネルとして構成したことを特徴とする請求項１に記載の情報表示用パネル。
【請求項３】
静止画表示部分と動画表示部分とを別体に構成し、動画表示部分を静止画表示部分に対し交換可能なパネルとして構成したことを特徴とする請求項１に記載の情報表示用パネル。
【請求項４】
静止画表示部分の一部に非表示領域を形成し、この非表示領域を無色透明で表から裏まで見通せるよう構成し、この非表示領域に裏側から動画表示部分を貼り合わせて表示部全体を構成することで、動画表示部分と静止画表示部分とが一体となった構成としたことを特徴とする請求項１または２に記載の情報表示用パネル。
【請求項５】
静止画表示部分の一部に非表示領域を形成し、この非表示領域を無色透明で表から裏まで見通せる裏側から見て凹ませた凹部とし、この凹部からなる非表示領域に裏側から動画表示部分をはめ込んで表示部全体を構成することで、動画表示部分を静止画表示部分に対し交換可能な構成としたことを特徴とする請求項１または３に記載の情報表示用パネル。
【請求項６】
静止画表示部分の一部に非表示領域を形成し、この非表示領域を表側から見てへこませた凹部とし、この凹部からなる非表示領域に表側から動画表示部分をはめこんでパネルを形成することで、動画表示部分を静止画表示部分に対し交換可能なパネルとして構成したことを特徴とする請求項１、３、４のいずれか１項に記載の情報表示用パネル。
【請求項７】
アクティブ駆動方式で駆動する動画表示部分が、表示画面全体の１／２未満で、かつ、前記動画表示部分が表示画面全体の隅の領域に配置されていることを特徴とする請求項１〜６のいずれか１項に記載の情報表示用パネル。
【請求項８】
パッシブ駆動方式で駆動する静止画表示部分が、フレキシブルに構成されたフレキシブルパネルであり、情報表示用パネル全体を、パッシブ駆動方式で駆動する静止画表示部分において曲げられるようにしたことを特徴とする請求項１〜７のいずれか１項に記載の情報表示用パネル。
【請求項９】
少なくとも静止画表示部分を、少なくとも一方が透明な２枚のフレキシブルな基板間に表示メモリー性のある（bistableな）表示媒体を封入し、表示媒体を電気的に駆動させて画像等を表示するフレキシブルパネルとして構成したことを特徴とする請求項１〜８のいずれか１項に記載の情報表示用パネル。
【発明の詳細な説明】
【技術分野】
【０００１】
本発明は、静止画表示部分と動画表示部分とから構成される情報表示用パネルに関するものである。
【背景技術】
【０００２】
従来、アクティブ駆動方式の液晶表示装置において、一つのパネルを動画表示部分と静止画表示部分とから構成し、一つのパネルで動画と静止画とを同時に表示する技術が知られている（例えば、特許文献１参照）。
【０００３】
【特許文献１】特開２００２−１３２２０２号公報
【発明の開示】
【発明が解決しようとする課題】
【０００４】
上述した従来の技術において、動画表示にはドットマトリックス配置された駆動画素をアクティブ駆動するのが好ましいが、アクティブ駆動にはコストの高いＴＦＴ素子が必要となり、低コストの表示パネルが得られなかった。また、ＴＦＴを搭載するときに、パネル基板が高温にさらされるため、樹脂基板等を用いてフレキシブルな情報表示用パネルとしにくかった。近年、有機ＴＦＴのような、ＴＦＴを搭載するときにパネル基板が高温にさらされないですむものも開発されてきているが、非常に高価なものとなり、やはり、低コストの情報表示用パネルを得ることができなかった。また、画面全体のうち大部分の画面では静止画を表示し、一部の画面で動画を表示する表示パネルが望まれているが、これまでの表示パネルは、パッシブ駆動方式の表示パネルかアクティブ駆動方式の表示パネルからのいずれかで構成されていたため、パッシブ駆動方式の表示パネルでは、アニメーション情報などの動画情報の表示を行いにくい問題があり、アクティブ駆動方式の表示パネルでは、アニメーション情報などの動画情報の表示を行うことも、静止画情報の表示を行うこともできるが、ＴＦＴを用いる高価でフレキシビリティのない表示パネルしか得られにくいという問題があった。
【０００５】
本発明の目的は上述した問題点を解消して、静止画表示部分と動画表示部分とから構成される静止画表示と動画表示との双方を行える情報表示用パネルであって、アクティブ駆動方式の動画表示部分を部分的に設けることによって、動画表示が必要な場合にだけ動画表示部分をアクティブ駆動させるに留めることによって、電力消費を抑えた情報表示用パネルを低コストで提供しようとするものである。又、本発明の構成によってフレキシブルな情報表示用パネルをも低コストで提供できるようにしようとするものである。
【課題を解決するための手段】
【０００６】
本発明の情報表示用パネルは、静止画表示部分と動画表示部分とから構成される情報表示用パネルにおいて、静止画表示部分をパッシブ駆動方式で構成するとともに、動画表示部分をアクティブ駆動方式で構成したことを特徴とするものである。
【０００７】
本発明の情報表示用パネルの好適例としては、静止画表示部分と動画表示部分とを一体のパネルとして構成したこと、静止画表示部分と動画表示部分とを別体に構成し、動画表示部分を静止画表示部分に対し交換可能なパネルとして構成したこと、静止画表示部分の一部に非表示領域を形成し、この非表示領域を無色透明で表から裏まで見通せるよう構成し、この非表示領域に裏側から動画表示部分を貼り合わせて表示部全体を構成することで、動画表示部分と静止画表示部分とが一体となった構成としたこと、静止画表示部分の一部に非表示領域を形成し、この非表示領域を無色透明で表から裏まで見通せる裏側から見て凹ませた凹部とし、この凹部からなる非表示領域に裏側から動画表示部分をはめ込んで表示部全体を構成することで、動画表示部分を静止画表示部分に対し交換可能な構成としたこと、静止画表示部分の一部に非表示領域を形成し、この非表示領域を表側から見てへこませた凹部とし、この凹部からなる非表示領域に表側から動画表示部分をはめこんでパネルを形成することで、動画表示部分を静止画表示部分に対し交換可能なパネルとして構成したこと、アクティブ駆動方式で駆動する動画表示部分が、表示画面全体の１／２未満で、かつ、前記動画表示部分が表示画面全体の隅の領域に配置されていること、パッシブ駆動方式で駆動する静止画表示部分が、フレキシブルに構成されたフレキシブルパネルであり、情報表示用パネル全体を、パッシブ駆動方式で駆動する静止画表示部分において曲げられるようにしたこと、少なくとも静止画表示部分を、少なくとも一方が透明な２枚のフレキシブルな基板間に表示メモリー性のある（bistableな）表示媒体を封入し、表示媒体を電気的に駆動させて画像等を表示するフレキシブルパネルとして構成したこと、がある。
【発明の効果】
【０００８】
本発明によれば、静止画表示部分をパッシブ駆動方式で構成するとともに、動画表示部分をアクティブ駆動方式で構成したこと、特に、静止画表示部分をドットマトリックス配置された駆動画素をパッシブ駆動させることで、静止画表示部分としてＴＦＴ素子が必要ないため低コストの表示パネルが得られるようになり、また、静止画表示部分を樹脂基板等によりフレキシブルに構成し、情報表示用パネルを静止画表示部分で曲げられるようにすることも容易にできる。
【発明を実施するための最良の形態】
【０００９】
図１〜図７（ａ）、（ｂ）はそれぞれ本発明の情報表示用パネルの一例を説明するための図である。
【００１０】
図１に示す例では、静止画表示部分１と動画表示部分２とから構成される情報表示用パネル３において、静止画表示部分１をパッシブ駆動方式で構成するとともに、動画表示部分２をアクティブ駆動方式で構成している。図１に示す例では、静止画表示部分１と動画表示部分２とを一体のパネルとして構成し、パッシブ駆動方式の静止画表示部分１では、互いに直交するライン電極をそれぞれ表示面側および裏面側の基板に設け、一方、アクティブ駆動方式の動画表示部分２では、個別電極（及び必要に応じてアクティブ素子）をそれぞれ表示面側および裏面側の基板に設けて、本発明の情報表示用パネル３を構成している。
【００１１】
図２（ａ）、（ｂ）に示す例でも、静止画表示部分１と動画表示部分２とから構成される情報表示用パネル３において、静止画表示部分１をパッシブ駆動方式で構成するとともに、動画表示部分２をアクティブ駆動方式で構成している。図２（ａ）に示す例では、静止画表示部分１と動画表示部分２とを別体に構成し、動画表示部分２を静止画表示部分１に対して交換可能なパネルとして構成している。図２（ａ）に示す例では、交換可能な構成を得るために、パネル枠体１２を利用して静止画表示部分１に開口部１１を形成し、開口部１１に静止画表示部分１と別体に構成した動画表示部分２をはめ込んで、本発明の情報表示用パネル３を形成している。図２（ｂ）に示す例では、静止画表示部分１と動画表示部分２とを一体に構成している。動画表示部分２を配置するパッシブ駆動表示パネル部分には背面側パネル基板だけがあり、前面側パネル基板の一部がない構成となっており、この部分に背面側パネル基板に動画表示部分２を貼り合わせて一体化し、本発明の情報表示用パネル３を形成している。
【００１２】
図３（ａ）、（ｂ）に示す例は、静止画表示部分１と動画表示部分２とを別体に構成し、静止画表示部分１に透明な非表示領域２１を形成し、透明な非表示領域２１の裏側に動画表示部２を配置して情報表示用パネル３を構成して、動画表示部分２を静止画表示部分１に対し交換可能なパネルとして構成している。動画表示部分２と静止画表示部分１を貼り合わせて一体にすることもできる。本例では、図３（ｂ）に示すように、透明な基板３１、３２間に隔壁３４によりセル３７を形成し、基板３１、３２の各々に互いに直交する透明なライン電極３５、３６を形成し、白色表示媒体３３Ｗおよび黒色表示媒体３３Ｂが封入をセル３７内に封入して、表示画表示部分１を構成している。そして、非表示領域２１を空セルとして透明に構成している。なお、隔壁３４は設けなくても良い。
【００１３】
図４（ａ）、（ｂ）に示す例は、静止画表示部分１の一部に非表示領域２１を形成し、この非表示領域２１を無色透明で表から裏まで見通せる裏側から見てへこませた凹部２２とし、この凹部２２からなる非表示領域２１に裏側から動画表示部分２をはめ込んで情報表示用パネル３とすることで、動画表示部分２を静止画表示部分１に対し交換可能なパネルとして構成している。動画表示部分２と静止画表示部分１を貼り合わせて一体にすることもできる。本例では、図４（ｂ）に示すように、透明な基板３１、３２間に隔壁３４によりセル３７を形成し、基板３１、３２の各々に互いに直交する透明なライン電極３５、３６を形成し、白色表示媒体３３Ｗおよび黒色表示媒体３３Ｂをセル３７内に封入して、静止画表示部分１を構成している。そして、非表示領域２１を空セルとして透明に構成している。なお、隔壁３４は設けなくても良い。
【００１４】
図５（ａ）、（ｂ）に示す例は、静止画表示部分１の一部に非表示領域２１を形成し、この非表示領域２１を表側から見てへこませた凹部２２とし、この凹部２２からなる非表示領域２１に表側から動画表示部分２をはめこんで情報表示用パネル３を形成することで、動画表示部分２を静止画表示部分１に対し交換可能なパネルとして構成している。動画表示部分２と静止画表示部分１を貼り合わせて一体にすることもできる。本例では、図５（ｂ）に示すように、表示面側の透明な基板３２と背面側の基板３１との間に隔壁３４によりセル３７を形成し、基板３１、３２の各々に互いに直交する透明なライン電極３６とライン電極３５とを形成し、白色表示媒体３３Ｗおよび黒色表示媒体３３Ｂをセル３７内に封入して、静止画表示部分１を構成している。なお、本例では、非表示領域２１に対応するセル３７内にも白色表示媒体３３Ｗおよび黒色表示媒体３３Ｂが封入されているが、空セルとして構成することもできる。
【００１５】
図６（ａ）、（ｂ）および図７（ａ）、（ｂ）はそれぞれ本発明の情報表示用パネルのさらに他の例を説明するための図である。図６（ａ）および図７（ａ）はそれぞれ正面図を示すとともに、図６（ｂ）および図７（ｂ）はそれぞれ図６（ａ）および図７（ａ）に示すＡ−Ａ線に沿った断面図を示している。本発明の情報表示用パネルでは、静止画表示部分１を駆動するための静止画駆動用回路及び装置と、動画表示部分２を駆動するための動画駆動用回路及び装置と、を設ける。静止画駆動用回路及び装置と動画駆動用回路及び装置とはリジッドなため、配置する場所に考慮する必要がある。図６（ａ）、（ｂ）に示す例では、リジッドな動画表示部分２の裏側に動画駆動用回路及び装置４２を、フレキシブルに構成できる静止画表示部分の裏側であってリジッドな動画表示部分近傍の位置に静止画駆動用回路及び装置４１を設けている。図７（ａ）、（ｂ）に示す例では、リジッドな動画表示部分２の裏側に静止画駆動用回路及び装置４１と動画駆動用回路及び装置４２とを設けている。いずれの例でも、フレキシブルに構成できる静止画表示部分２を大きくとることができるので、パネルとしてのフレキシビリティーが向上し、静止画表示部分で曲げることが可能な情報表示用パネルとすることができる。
【００１６】
上述した本発明の情報表示用パネル３では、リジッドなアクティブ駆動表示パネル２の占める領域を小さくして、フレキシブルなパッシブ駆動表示パネル１の占める領域を大きくした、２種類の駆動方式で表示する表示領域を有する情報表示用パネルとして構成している。そのため、大面積を占めるパッシブ駆動表示パネル部分で、本発明の情報表示用パネル３は曲げることができる。
【００１７】
本発明の情報表示用パネルを情報表示用の電子ペーパーとして用いた場合には、パッシブ駆動表示パネル部１で文字情報などの静止画情報の表示を行い、アクティブ駆動表示パネル部２でアニメーション情報などの動画情報の表示を行うことができる。静止画情報の表示を行うパッシブ駆動表示パネル部１の表示媒体としては、駆動しきい値を有するもの（例えば、帯電性粒子を含んだ粒子群を電界駆動する方式）を用いる。また、表示メモリー性のある（bistableな）表示媒体を用いた表示方式（例えば、帯電粒子を含んだ粒子群を電界駆動する方式や、コレステリック液晶駆動方式）とすれば、表示書き換え時にのみ電源供給し、書き換え後は電源を切ってしまう低電力消費の表示を行える。
【００１８】
動画情報の表示を行うアクティブ駆動表示パネル部２の表示方式としては、通常の液晶表示方式、コレステリック液晶表示方式、帯電性粒子を含んだ粒子群を電界駆動する方式（気体中駆動方式、液体中電気泳動方式、マイクロカプセル内流体中電気泳動方式などがある）、エレクトロクロミック方式、ＭＥＭＳ方式、有機ＥＬ方式、無機ＥＬ方式など様々な表示方式を用いることができる。表示メモリー性のある（bistableな）表示媒体を用いた表示方式（例えば、帯電性粒子を含んだ粒子群を電界駆動する方式や、コレステリック液晶駆動方式）とすれば、電源を切っても動画として最後に表示した画像をそのまま静止画として表示させておくことができる。
【００１９】
上述した本発明の情報表示用パネル３では、アクティブ駆動方式で駆動する動画表示部分２が画面の１／２未満、かつ、動画表示部分が表示画面全体の隅の領域に配置されていることが好ましい。動画表示部分２を画面の１／２未満、かつ、動画表示部分が表示画面全体の隅の領域に配置されていることで、半分に曲げたり、まるめて細い筒状にすることが可能なフレキシブル性を良好に維持することができる。
【００２０】
次に、本発明の情報表示用パネル３として好適に用いることのできる情報表示用パネルのうち、帯電性粒子を含む粒子群を表示媒体として電界駆動させる帯電粒子駆動方式の情報表示用パネルの基本的な構成について説明する。
【００２１】
本発明の好適例となるこの情報表示用パネルでは、対向する２枚の基板間に封入した帯電性粒子を含んで構成した表示媒体に電界が付与される。付与された電界方向にそって、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００２２】
本発明の好適例となる帯電粒子駆動方式の情報表示用パネルの例を、アクティブ駆動方式の例を示す図８（ａ）、（ｂ）、および、パッシブ駆動方式の例を示す図９（ａ）、（ｂ）に基づき説明する。本発明の情報表示用パネル３では、アクティブ駆動方式を動画表示部分２に用い、パッシブ駆動方式を静止画表示部分１に用いる点が特徴となる。
【００２３】
アクティブ駆動方式の例を示す図８（ａ）、（ｂ）に示す例では、光学的反射率と帯電性とを有する粒子を含む少なくとも１種以上の粒子から構成される、互いに光学的反射率および帯電特性が異なる粒子群を表示媒体３３として少なくとも２種以上（ここでは白色表示媒体用粒子３３Ｗａの粒子群からなる白色表示媒体３３Ｗと黒色表示媒体用粒子３３Ｂａの粒子群からなる黒色表示媒体３３Ｂを示す）基板間に封入し、隔壁３４で形成された各セル３７において、基板３１に設けた電極３５（個別電極）と基板３２に設けた電極３６（個別電極）との間に電圧を印加することにより発生する電界に応じて、基板３１、３２と垂直に移動させる。そして、図８（ａ）に示すように白色表示媒体３３Ｗを観察者に視認させて白色ドット表示を行うか、あるいは、図８（ｂ）に示すように黒色表示媒体３３Ｂを観察者に視認させて黒色ドット表示を行っている。なお、図８（ａ）、（ｂ）において、手前にある隔壁は省略している。また、本例では、それぞれの個別電極対に対応して、アクティブ素子を配置している。
【００２４】
パッシブ駆動方式の例を示す図９（ａ）、（ｂ）に示す例では、光学的反射率と帯電性とを有する粒子を含む少なくとも１種以上の粒子から構成される、互いに光学的反射率および帯電特性の異なる粒子群を表示媒体３３として２種以上（ここでは白色表示媒体用粒子３３Ｗａの粒子群からなる白色表示媒体３３Ｗと黒色表示媒体用粒子３３Ｂａの粒子群からなる黒色表示媒体３３Ｂを示す）基板間に封入し、隔壁３４で形成された各セル３７において、基板３１に設けた電極３５（ライン電極）と基板３２に設けた電極３６（ライン電極）とが互いに対向直交交差して形成する電極対に電圧を印加することにより発生する電界に応じて、基板２１、３２と垂直に移動させる。そして、図９（ａ）に示すように白色表示媒体３３Ｗを観察者に視認させて白色ドット表示を行うか、あるいは、図９（ｂ）に示すように黒色表示媒体３３Ｂを観察者に視認させて黒色ドット表示を行っている。なお、図９（ａ）、（ｂ）において、手前にある隔壁は省略している。また、本例では、各ライン電極ごとに電圧印加走査を行うことで、対向電極対の間に配置された表示媒体をパッシブ駆動する。
【００２５】
上述した構成の情報表示用パネル３では、表示領域の大部分を占める静止画表示部分１として、動画表示には向いていないが文字等の静止画表示には十分であり、構造の観点で単純であり、しかも消費電力が少なくて済むパッシブ駆動方式を用いているため、情報表示用パネル３の消費電力を低減することができる。また、少なくとも静止画表示部分１を、少なくとも一方が透明な２枚の基板間に表示メモリー性のある（bistableな）表示媒体を封入し、表示媒体を電気的に駆動させて画像等を表示するパネルから構成し、リジッドなアクティブ素子を配置する必要がないので、基板３１、３２を可とう性のある樹脂等の材料を用いて構成することでフレキシブルな情報表示用パネルとすることができる。その場合は、部分的に可とう性のない動画表示部分２が存在するものの、情報表示用パネル３として可とう性を持たせることができる。
【００２６】
さらに、動画表示部分２を静止画表示部分１に対して交換可能に構成した場合は、静止画表示部分に、動画表示部分を後から設置すればよいので、静止画表示部分の製造工程と動画表示部分の製造工程とを別々にできるので好ましい。静止画表示部分２に非表示領域２１を設けて一方の面に動画表示部分２を配置した場合は、基板３１、３２をカットする必要がなくなり、製造工程を減少させることができる。この場合には、非表示領域２１をプレス等でへこまして凹部２２を形成すると、その凹部２２に動画表示部分２をはめ込むように配置することができる。このようなはめ込み方式にすると、接着剤を用いずに凹部の内面と動画表示部パネル外面との摩擦力等を利用したり、凹凸嵌合方式等を利用したりして固定できるので、動画表示部パネルを着脱できるようにすることもできる。
【００２７】
以下、本発明の情報表示用パネルを構成する各部材について説明する。
【００２８】
表示部パネルの基板としては、少なくとも一方の基板はパネル外側から表示媒体が確認できる透明基板であり、可視光の透過率が高くかつ耐熱性の良い材料が好適である。もう一方の基板となる背面基板は透明でも不透明でもかまわない。基板材料を例示すると、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフィン（ＰＥＳ）、アクリル等の 有機高分子系基板や、ガラスシート、石英シート、金属シート等を用い、表示面側にはこのうち透明なものを用いる。基板の厚みは、２〜２０００μｍが好ましく、さらに５〜１０００μｍが好適であり、薄すぎると、強度、基板間の間隔均一性を保ちにくくなり、２０００μｍより厚いと、薄型の表示部パネルとする場合に不都合がある。
【００２９】
画素電極の形成材料としては、アルミニウム、銀、ニッケル、銅、金、クロム等の金属類やそれら金属を主成分とする合金および酸化インジウム錫（ＩＴＯ）、酸化インジウム亜鉛（ＩＺＯ）、アルミニウムドープ酸化亜鉛（ＡＺＯ）、酸化インジウム、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法、金属箔をラミネートする方法（例えば圧延銅箔など）や、導電剤を溶媒や合成樹脂バインダーに混合して塗布してパターニング形成する方法が用いられる。視認側（表示面側）基板に設ける画素電極は透明である必要があるが、背面側基板に設ける画素電極は透明である必要がない。いずれの場合もパターン形成可能である導電性である上記材料を好適に用いることができる。なお、画素電極厚みは、導電性や光透過性を鑑みて決定され、０．０１〜１０μｍ、好ましくは０．０５〜５μｍである。背面側基板に設ける電極の材質や厚みについては光透過性を鑑みる必要はない。なお、この場合の外部電圧入力は、直流あるいは交流を重畳しても良い。
【００３０】
必要に応じて基板に設ける隔壁については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜５００μｍ、好ましくは１０〜２００μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も用いられる。
これらのリブからなる隔壁により形成されるセルは、図１０に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示状態の鮮明さが増す。
ここで、隔壁の形成方法を例示すると、金型転写法、スクリーン印刷法、サンドブラスト法、フォトリソ法、アディティブ法が挙げられる。いずれの方法もこの発明の情報表示装置に搭載する情報表示用パネルに好適に用いることができるが、これらのうち、レジストフィルムを用いるフォトリソ法や金型転写法が好適に用いられる。 
【００３１】
帯電性粒子を含んだ粒子群で構成する表示媒体を気体中空間で駆動させる方式の表示部では、基板間の空間に配置した表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図８（ａ）、（ｂ）〜図９（ａ）、（ｂ）において、対向する基板３１、基板３２に挟まれる部分から、電極３５、３６（電極を基板の内側に設けた場合）、表示媒体３３の占有部分、隔壁３４の占有部分（隔壁を設けた場合）、パネル基板のシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように表示部パネルに封入することが必要であり、例えば、表示媒体の充填、表示部パネルの組み立てなどを所定湿度環境下にて行い、さらに、外からの湿度侵入を防ぐシール材、シール方法を施すことが肝要である。
【００３２】
表示部パネルを帯電粒子気体中空間移動方式とする場合は、基板と基板との間隔は１０〜１００μｍ、好ましくは１０〜５０μｍの範囲で調整される。さらに、基板間の気体中空間における表示媒体の体積占有率は５〜７０％が好ましく、さらに好ましくは５〜６０％である。７０％を超える場合には表示媒体の移動に支障をきたし、５％未満の場合にはコントラストが不明確となり易い。
【産業上の利用可能性】
【００３３】
本発明の情報表示用パネルは、ノートパソコン、ＰＤＡ、携帯電話、ハンディターミナル等のモバイル機器の表示部、電子書籍、電子新聞、電子マニュアル（取扱説明書）等の電子ペーパー、看板、ポスター、黒板等の掲示板、電卓、家電製品、自動車用品等の表示部、ポイントカード、ＩＣカード等のカード表示部、電子広告、電子ＰＯＰ（Point of presnece, Point of Purchase advertising）、電子値札、電子棚札、電子楽譜、ＲＦ−ＩＤ機器の表示部として好適に用いられる。
【図面の簡単な説明】
【００３４】
【図１】本発明の情報表示用パネルの一例を説明するための図である。
【図２】（ａ）、（ｂ）はそれぞれ本発明の情報表示用パネルの他の例を説明するための図である。
【図３】（ａ）、（ｂ）はそれぞれ本発明の情報表示用パネルのさらに他の例を説明するための図である。
【図４】（ａ）、（ｂ）はそれぞれ本発明の情報表示用パネルのさらに他の例を説明するための図である。
【図５】（ａ）、（ｂ）はそれぞれ本発明の情報表示用パネルのさらに他の例を説明するための図である。
【図６】（ａ）、（ｂ）はそれぞれ本発明の情報表示用パネルのさらに他の例を説明するための図である。
【図７】（ａ）、（ｂ）はそれぞれ本発明の情報表示用パネルのさらに他の例を説明するための図である。
【図８】（ａ）、（ｂ）はそれぞれ本発明の好適例としての情報表示用パネルの一例を説明するための図である。
【図９】（ａ）、（ｂ）はそれぞれ本発明の好適例としての情報表示用パネルの他の例を説明するための図である。
【図１０】本発明の情報表示用パネルで隔壁を用いる場合の隔壁の形状の一例を示す図である。
【符号の説明】
【００３５】
１  静止画表示部分
２  動画表示部分
３  情報表示用パネル
１１  開口部
１２  パネル枠体
２１  非表示領域
２２  凹部
３１、３２  基板
３３  表示媒体（粒子群）
３３Ｗ  白色表示媒体
３３Ｗａ  白色表示媒体用粒子（白色負帯電性粒子）
３３Ｂ  黒色表示媒体
３３Ｂａ  黒色表示媒体用粒子（黒色正帯電性粒子）
３４  隔壁
３５、３６  電極
３７  セル
４１  静止画駆動用回路及び装置
４２  動画駆動用回路及び装置
【図１】
2009128436.tif 000003
【図２】
2009128436.tif 000004
【図３】
2009128436.tif 000005
【図４】
2009128436.tif 000006
【図５】
2009128436.tif 000007
【図６】
2009128436.tif 000008
【図７】
2009128436.tif 000009
【図８】
2009128436.tif 000010
【図９】
2009128436.tif 000011
【図１０】
2009128436.tif 000012